(57)【要約】  本発明は、園芸構成（１０００）内の植物（１）に園芸光を提供する方法であって、当該方法は、制御モード中に、第１の園芸光（１１１１）を植物（１）に提供することを含み、第１の園芸光（１１１１）の光子の少なくとも１５％は、７００〜８００ｎｍの範囲から選択される波長を有し、第１の園芸光（１１１１）の光子の少なくとも４５％は、６４０〜７００ｎｍの範囲から選択される波長を有し、第１の園芸光（１１１１）の光子の最大１０％は、４００〜５００ｎｍの範囲から選択される波長を有する、方法を提供する。
2021521832.tif 000002
【特許請求の範囲】
【請求項１】
園芸構成内の植物に園芸光を提供する方法であって、当該方法は、
制御モード中に、少なくとも１５０μｍｏｌ／ｍ２／ｓの範囲から選択される平均強度を有する第１の園芸光を植物に提供することを含み、前記第１の園芸光の光子の少なくとも１５％は、７００〜８００ｎｍの範囲から選択される波長を有し、前記第１の園芸光の光子の少なくとも４５％は、６４０〜７００ｎｍの範囲から選択される波長を有し、前記第１の園芸光の光子の最大１０％は、４００〜５００ｎｍの範囲から選択される波長を有し、光子のパーセンテージは、４００〜８００ｎｍのスペクトル範囲の光子の総数に関連する、方法。
【請求項２】
前記第１の園芸光の光子の少なくとも２０％は、７００〜８００ｎｍの範囲から選択される波長を有し、当該方法は、１日あたり４〜１４時間の暗期間を伴い、１日あたり１０〜２０時間の時間期間にわたって２００〜１０００μｍｏｌ／ｍ２／ｓの範囲から選択される平均強度を有する前記第１の園芸光を制御モード中に提供することを含む、請求項１に記載の方法。
【請求項３】
前記第１の園芸光の光子の少なくとも１０％は、５００〜６４０ｎｍの範囲から選択される波長を有する、請求項１又は２に記載の方法。
【請求項４】
前記植物は、ケール、ほうれん草、スイスチャード、コラードグリーン、スベリヒユ、マスタードグリーン、クレソン、ルッコラ、レタス、タンポポグリーン、キャベツ、キバナスズシロ、及びビートグリーンの群から選択される、請求項１乃至３のいずれか一項に記載の方法。
【請求項５】
前記植物は、葉の収穫後に新しい葉を生成するタイプのものであり、前記制御モードは、（ａ）植物のライフタイム内の時点、（ｂ）収穫の数、（ｃ）ボルトの数及び／又は外観、並びに、（ｄ）花の数及び／又は外観のうちの１つ以上の関数として前記第１の園芸光のスペクトル組成を制御することを含む、請求項１乃至４のいずれか一項に記載の方法。
【請求項６】
前記制御モードは、（ａ）時間、（ｂ）収穫の数、（ｃ）ボルトの数及び／又は外観、並びに、（ｄ）花の数及び／又は外観のうちの１つ以上に伴い、７００〜８００ｎｍの範囲から選択される波長を有する光子の前記第１の園芸光への寄与を増加させることを含む、請求項５に記載の方法。
【請求項７】
前記制御モードは、ｎ回目の収穫後にのみ前記第１の園芸光を提供することを含み、ｎは、少なくとも２である、請求項５又は６に記載の方法。
【請求項８】
前記制御モードは、収穫に先立つ１つ以上の第１の時間期間中に前記植物に前記第１の園芸光を提供することと、収穫に先立つ１つ以上の第２の時間期間中に前記植物に第２の園芸光を提供することとを含み、前記第１の時間期間と前記第２の時間期間とは重ならず、前記１つ以上の第２の時間期間は、収穫に先立つ最大３日の期間内であり、前記第２の園芸光の光子の少なくとも２０％は、４００〜５００ｎｍの範囲から選択される波長を有し、前記第２の園芸光の光子の最大１０％は、７００〜８００ｎｍの範囲から選択される波長を有する、請求項１乃至７のいずれか一項に記載の方法。
【請求項９】
請求項１乃至８のいずれか一項に記載の第１の園芸光を制御モードにおいて生成するように構成される園芸照明システムに機能的に結合される又は該園芸照明システムに含まれるコンピュータ上で実行されると、請求項１乃至８のいずれか一項に記載の方法を実施することが可能なコンピュータプログラム。
【請求項１０】
園芸光を提供するように構成される照明装置と、
制御モード中に、前記照明装置から少なくとも３０ｃｍの距離において少なくとも１５０μｍｏｌ／ｍ２／ｓの範囲から選択される平均強度を有する第１の園芸光を提供するように前記照明装置を制御するよう構成される制御システムと、
を含む、園芸照明システムであって、
前記第１の園芸光の光子の少なくとも１５％は、７００〜８００ｎｍの範囲から選択される波長を有し、前記第１の園芸光の光子の少なくとも４５％は、６４０〜７００ｎｍの範囲から選択される波長を有し、前記第１の園芸光の光子の最大１０％は、４００〜５００ｎｍの範囲から選択される波長を有し、光子のパーセンテージは、４００〜８００ｎｍのスペクトル範囲の光子の総数に関連する、園芸照明システム。
【請求項１１】
（ｉ）７００〜８００ｎｍの範囲から選択されるピーク波長を有する光を提供するように構成される１つ以上の光源の第１のセットと、（ｉｉ）６４０〜７００ｎｍの範囲から選択されるピーク波長を有する光を提供するように構成される１つ以上の光源の第２のセットとを含む、請求項１０に記載の園芸照明システム。
【請求項１２】
（ｉｉｉ）４００〜５００ｎｍの範囲から選択されるピーク波長を有する光を提供するように構成される１つ以上の光源の第３のセットを含む、請求項１０又は１１に記載の園芸照明システム。
【請求項１３】
前記制御システムは、制御モード中に、１日あたり１０〜２０時間の時間期間にわたって２００〜１０００μｍｏｌ／ｍ２／ｓの範囲から選択される平均強度を有する第１の園芸光を提供する、及び、１日あたり４〜１４時間の暗期間を提供するように前記照明装置を制御するよう構成され、前記第１の園芸光の光子の少なくとも２０％は、７００〜８００ｎｍの範囲から選択される波長を有する、請求項１０乃至１２のいずれか一項に記載の園芸照明システム。
【請求項１４】
前記制御モードは、（ａ）植物のライフタイム内の時点、（ｂ）収穫の数、（ｃ）ボルトの数及び／又は外観、並びに、（ｄ）花の数及び／又は外観のうちの１つ以上の関数として前記第１の園芸光のスペクトル組成を制御することを含み、当該園芸照明システムは、センサを含み、前記制御システムは、前記センサを介して、（ａ）１つ以上の植物の葉の数及び／又は外観及び／又は色、（ｂ）１つ以上の植物のキャノピの面積及び／又は色、（ｃ）１つ以上の植物の葉の第１世代後の実行された収穫の数、（ｄ）１つ以上の植物のボルトの数及び／又は外観、並びに、（ｅ）１つ以上の植物の花の数及び／又は外観のうちの１つ以上を感知するように構成される、請求項１０乃至１３のいずれか一項に記載の園芸照明システム。
【請求項１５】
植物のための園芸構成であって、請求項１０乃至１４のいずれか１項に記載の園芸照明システムと、前記植物を支持するための支持体とを含む、園芸構成。
【発明の詳細な説明】
【技術分野】
【０００１】
本発明は、園芸照明システム(horticulture lighting system)と、そのような園芸照明システムを含む園芸構成(horticulture arrangement)に関する。本発明はさらに、光を植物に提供するための方法であって、そのような園芸照明構成が適用され得る方法、及びそのような方法を実行するためのコンピュータプログラムプロダクトに関する。さらに、本発明は、そのような園芸構成、園芸照明システム又は光を植物に提供するための方法において使用され得る照明装置(lighting apparatus)に関する。
【背景技術】
【０００２】
植物成長用照明デバイス及びシステムが、当技術分野で知られている。例えば、ＵＳ９８５４７４９は、第１の色の光を発するように構成される第１のＬＥＤデバイスであって、６０°以下の制御されたビーム半角を有する光を発するように構成される、第１のＬＥＤデバイスと、第２の色の光を発するように構成される第２のＬＥＤデバイスであって、６０°以下の制御されたビーム半角を有する光を発するように構成される、第２のＬＥＤデバイスとを含む、植物成長のためのシステムであって、当該システムは、５００ｎｍ以下の第１の発光ピーク及び６００ｎｍ以上の第２の発光ピークを有する発光スペクトルを生成するように構成される、システムを述べている。第１の発光ピークは、４２５〜４７５ｎｍであり、第２の発光ピークは、６３５〜６８５ｎｍである。さらに、システムは、５００〜６００ｎｍにおける第３の発光ピークを有するように構成される。発光スペクトルの光子束(photon flux)は、５％と１０％の間の緑色光を含む。
【発明の概要】
【発明が解決しようとする課題】
【０００３】
植物は、光合成のプロセスを使用して、光、ＣＯ２、及びＨ２Ｏを炭水化物（糖）に変換する。これら糖は、代謝プロセスを行うために使用される。余分な糖は、バイオマス形成に使用される。このバイオマス形成は、茎部の伸長、葉面積の増加、開花、果実形成等を含む。光合成に関与する光受容体はクロロフィルである。光合成のほかに、光周性、光屈性、及び光形態形成もまた、放射と植物との間の相互作用に関連する代表的なプロセスである。
・  光周性とは、（例えば、開花を誘発するために）放射の周期性を感知し、測定するために植物が有する能力を指し、
・  光屈性とは、放射に向かう及び放射から離れる植物の成長運動を指し、
・  光形態形成とは、放射の質及び量に応じた形態の変化を指す。
【０００４】
クロロフィルａ及びクロロフィルｂの２つの重要な吸収ピークは、それぞれ、赤色領域及び青色領域内、特に６２５〜６７５ｎｍ、及び４２５〜４７５ｎｍに位置する。加えてまた、近紫外領域（３００〜４００ｎｍ）及び遠赤色領域（７００〜８００ｎｍ）に他の局所的なピークもある。主光合成活性は、波長領域４００〜７００ｎｍ内で起こるように思われる。この範囲内の放射は、光合成有効放射（photosynthetically active radiation；ＰＡＲ）と呼ばれる。
【０００５】
園芸照明の文脈において、近紫外線は、３００〜４００ｎｍのスペクトル範囲から選択される１つ以上の波長として定義され、青色は、４００〜５００ｎｍのスペクトル範囲から選択される１つ以上の波長として定義され、白色は、４００〜７００ｎｍのスペクトル範囲から選択される波長として定義され（青色、緑色及び赤色の波長の組み合わせ等、これらの選択された波長が一緒に白色光を構成し得る）、緑色は、５００〜６００ｎｍのスペクトル範囲から選択される１つ以上の波長として定義され、赤色は、６００〜７００ｎｍのスペクトル範囲から選択される１つ以上の波長として定義され、深赤色(deep-red)は、６４０〜７００ｎｍのスペクトル範囲から選択される１つ以上の波長として定義され、遠赤色(far-red)は、７００〜８００ｎｍのスペクトル範囲から選択される１つ以上の波長として定義される。斯くして、深赤色は、赤色のサブセレクション(sub selection)である。
【０００６】
植物の他の感光性プロセスには、フィトクロムが挙げられる。フィトクロム活性は、葉の拡張、隣接知覚、陰影回避、茎部伸長、種子発芽、及び開花誘導などの異なる応答を導く。フィトクロム光システムは、フィトクロムの２つの形態、Ｐｒ及びＰｆｒを含み、これらは、感度ピークを、それぞれ、赤色の６６０ｎｍ及び遠赤色の７３０ｎｍに有する。
【０００７】
園芸においては、単位面積当たりの毎秒光子数（μｍｏｌ／秒／ｍ２、ｍｏｌは、６・１０２３個の光子に相当）における光合成光量子束密度（photosynthetic photon flux density；ＰＰＦＤ）が測定される。実際には、特にトマトに例えばインターライティング(inter-lighting)を適用する場合、使用される赤色ＰＰＦＤは、典型的には２００μｍｏｌ／秒／ｍ２であってもよく、青色：赤色の比は、典型的には１：７であってもよい（赤色は、特に６２５〜６７５ｎｍから選択され、青色は、特に４００〜４７５ｎｍから選択される）。特に、光合成光量子束密度は、約１０％の青色と約９０％の赤色を含んでもよい。ＰＰＦＤは、フォトダイオードから決定され得る、又は光電子増倍管で直接測定され得る。ＰＰＦＤ内の領域は、光源が配置されている空間の局所受光（植物）領域を指す。多層システムの場合、これは多層構成に含まれる関連層の領域として定義されてもよく、したがって、ＰＰＦＤは、各層に対して個々に推定されてもよい（さらに以下も参照）。当該領域は、一実施形態では、制御ユニットに手動で供給される値であってもよく、又は一実施形態では、制御ユニットによって（例えばセンサを用いて）評価されてもよい。
【０００８】
植物の成長は、光の量だけでなく、植物上の光のスペクトル成分、持続時間、及びタイミングにも依存する。これらの側面の観点におけるパラメータ値の組み合わせは、植物（本明細書では、植物という語と作物という語は入れ替え可能である）の成長のための「光レシピ(light recipe)」と呼ばれる。
【０００９】
ＬＥＤは、以下のような園芸照明において様々な役割を果たすことができる。
１．  補助照明：例えば、作物価格がより高くなり得る秋期、冬期、及び春期中に（例えばトマトの）生産を増加するために又は作物生産を延長するために、自然昼光を補助する照明が使用される。
２．  光周期性照明：多くの植物にとって光の日々の継続時間は重要である。２４時間周期内の明期と暗期の比率は、多くの植物の開花反応に影響を及ぼす。補助照明を用いてこの比率を操作することで、開花時期の調整を可能にする。
３．  植物工場内での昼光を伴わない栽培。
４．  組織培養。
【００１０】
温室内で秋、冬、及び春の間に（又は多層成長で１年中）補助照明を提供するために、一般に、植物全体にわたる十分に均一な配光を確保するために植物上方の比較的高所に取り付けられる必要がある高出力ガス放電灯が使用される。現在、温室内では、６００〜１０００Ｗの範囲の異なるタイプの高出力ランプ（例えば、高出力ＨＩＤ）が植物に補助光を供給するために使用されている。１つの不利な点は、作物の種類によっては、植物上方の位置から植物の下方部分に達する光の量は、むしろ限定される場合があることである。同時に、植物の下方部分は、多くの場合、補助光を最も必要とする。同じジレンマは、植物の上方に取り付けられた固体照明を使用する場合にも残る。それでもなお、ＬＥＤ照明、特に固体照明は、放電ベースの照明に優るいくらかの利点を有する。
【００１１】
北部地域、又は人工かつ良好に制御された条件に完全に依存するいわゆる「都市農業」若しくは「垂直農業」などの、植物が自然の日光から得る光が不十分な状況では、成長（葉及び果実）、熟成、及び収穫前調整のために植物に光を供給する必要があるように思われる。
【００１２】
光は、成長を可能とする唯一のものではなく、大気（湿度レベル、ＣＯ２／Ｏ２レベル等）、水、栄養素、及び胞子要素も主に重要なものである。温度（及び日中／夜間の温度プロファイル／サイクル）もまた、植物成長の成功に重要な寄与因子である。露地園芸の分野では、現在、高収益／高価値栽培において典型的に使用されている無土又は水栽培園芸に対するニーズがあると思われる。このような方法は、また、植物の非自然の成長に基づき、人工的な最適化を必要とし得る又は人工的な最適化から収益を得ることができる。
【００１３】
食料生産に利用可能な空間は、不足しつつある。より持続可能（エネルギー及び水の最小限の使用）でありながら、より小さな占有面積によりより高い収量を産出するために、生産方法の革新が必要とされる。植物農場などの閉鎖環境における食料生産は、これらの要求を満たす方法である。（植物工場、垂直農場又は都市農場としても知られる）植物農場では、食料は複数の層で育てられ、屋外での成長又は温室での成長と比較して、利用可能な空間をはるかに良好に使用する。これは、昼光が全ての植物には到達できず、ほとんど全ての光が人工照明によりもたらされなければならないことを意味する。植物農場では、常に最適となる光処理を植物に施す必要がある。同時に、エネルギ消費を低減し、採算がとれるビジネスをもたらすために、ＬＥＤモジュールによって生成された光が可能な限り効率的に使用されることが必須である。植物農場では、単位面積当たり生産量が、露地での生産量よりもはるかに高い。水の使用は最小限に抑えられる。植物の病害及び害虫は、より容易に予防されることができる。
【００１４】
園芸では、比較的多くの光、斯くして、エネルギが使用される。より少ない光子を使用しながら、より高い収量で生産することが、将来の園芸にとって鍵となる。
【００１５】
「園芸」という用語は、人が利用するための（集約型の）植物栽培に関連し、活動は非常に多種多様であり、食糧用植物（果物、野菜、キノコ、料理用ハーブ）及び非食糧用作物（花、樹木及び低木、芝草、ホップ、ブドウ、医療用ハーブ）を取り込んでいる。園芸は、植物栽培の芸術、科学、技術、及び事業を扱う農業の分野である。これには、薬用植物、果実、野菜、堅果、種子、ハーブ、スプラウト、キノコ、藻類、花、海藻、並びに草及び装飾用樹木及び植物などの非食糧用作物の栽培を含み得る。本明細書では、用語「植物」は、薬用植物、野菜、ハーブ、スプラウト、キノコ、堅果を作る植物、種子を作る植物、花を作る植物、果実を作る植物、草及び装飾用樹木などの非食糧用作物等から選択される、本質的にあらゆる種を指すために使用される。
【００１６】
本明細書では、用語「植物」は、本質的に全ての段階について使用される。用語「植物部位」は、根、茎、葉、（もしあれば）果実などを指し得る。「園芸」という用語は、人が利用するための（集約型の）植物栽培に関連し、活動は非常に多種多様であり、食糧用植物（果物、野菜、キノコ、料理用ハーブ）及び非食糧用作物（花、樹木及び低木、芝草、ホップ、ブドウ、医療用ハーブ）を取り込んでいる。園芸は、植物を育てる芸術、科学、技術、及び事業を扱う農業の分野である。これには、薬用植物、果実、野菜、堅果、種子、ハーブ、スプラウト、キノコ、藻類、花、海藻、並びに草及び装飾用樹木及び植物などの非食糧用作物の栽培を含み得る。本明細書では、用語「植物」は、薬用植物、野菜、ハーブ、スプラウト、キノコ、堅果を作る植物、種子を作る植物、花を作る植物、果実を作る植物、草及び装飾用樹木などの非食糧用作物等から選択される、本質的にあらゆる種を指すために使用される。さらに特に、用語「植物」は、薬用植物、野菜、ハーブ、スプラウト、堅果を作る植物、種子を作る植物、花を作る植物、果実を作る植物、非食糧用作物等から選択される、本質的にあらゆる種を指すために使用される。
【００１７】
「作物」という用語は、本明細書では、育てられる又は育てられた園芸植物を示すために使用される。食糧、衣料等のために大規模栽培される同一種類の植物は、作物と呼ばれる場合がある。作物は、例えば、食糧、家畜飼料、燃料として、又は任意の他の経済的目的で収穫されるために栽培される非動物種又は種類である。「作物」という用語はまた、複数の作物に関連する場合もある。園芸作物は、食用作物（トマト、コショウ、キュウリ、及びレタス）、並びにトマト植物、コショウ植物、キュウリ植物等のような、そのような作物を（潜在的に）作る植物を特に指す場合がある。園芸は、本明細書では、概して、例えば、作物及び非作物植物に関連する場合がある。作物植物の例は、米、小麦、大麦、燕麦、ヒヨコマメ、エンドウマメ、ササゲ、レンズマメ、リョクトウ、クロリョクトウ、大豆、インゲンマメ、モスビーン、アマニ、ゴマ、ガラスマメ、サンヘンプ、トウガラシ、ナス、トマト、キュウリ、オクラ、ピーナッツ、ジャガイモ、トウモロコシ、パールミレット、ライ麦、アルファルファ、ハツカダイコン、キャベツ、レタス、コショウ、ヒマワリ、テンサイ、トウゴマ、ムラサキツメクサ、シロツメクサ、ベニバナ、ホウレンソウ、タマネギ、ニンニク、カブ、トウナス、マスクメロン、スイカ、キュウリ、カボチャ、ケナフ、アブラヤシ、ニンジン、ココナツ、パパイヤ、サトウキビ、コーヒ、カカオ、茶、リンゴ、セイヨウナシ、モモ、サクランボ、ブドウ、アーモンド、イチゴ、パイナップル、バナナ、カシュ、男爵イモ（Irish）、キャッサバ、タロイモ、ゴム、サトウモロコシ、綿、ライコムギ、キマメ、及びタバコである。特に関心があるのは、トマト、キュウリ、コショウ、レタス、スイカ、パパイヤ、リンゴ、セイヨウナシ、モモ、サクランボ、ブドウ、及びイチゴである。
【００１８】
用語「植物」は、本明細書では、特にアーケプラスチダを指す場合がある。アーケプラスチダは、灰色藻と呼ばれる淡水単細胞藻類の小さな群と共に、紅藻（紅藻植物）、緑藻、及び陸上植物を含む、真核生物の主要な群である。それゆえ、実施形態では、用語「植物」は、陸上植物を指す場合がある。実施形態では、用語「植物」は（また）、藻類（緑藻及び紅藻、並びに灰色藻と呼ばれる単細胞藻類のうちの１つ以上など）を指す場合がある。
【００１９】
特に、本発明は、短日植物（ルッコラ、ベビーリーフホウレンソウ、装飾用植物（アンスリウム、ラン、キクなど）、本質的に全てのハーブ（ディル、バジル、パセリ、コリアンダ、ポインセチアなど）、又は、花芽形成を（葉もの野菜などで、これがとりわけ望まれない場合に）回避するために光周期を短く保つ必要がある任意の植物に関心があり得る。さらに、本発明は、特に、高ワイヤ植物、すなわち、ワイヤ又は他の垂直支持体に沿って成長する植物に関心があり得る。それゆえ、実施形態では、植物は、トマト植物、キュウリ植物、ピーマン植物、ナス植物などの群から選択されてもよい。またさらに、植物は、葉菜植物(leafy green plant)の群から選択される植物を含む。
【００２０】
用語「園芸光」は、特に、４００〜４７５ｎｍの第１の波長領域及び６２５〜６７５ｎｍの第２の波長領域のうちの１つ以上における１つ以上の波長を有する光を指す。これらの領域において提供される相対エネルギ（ワット）は、植物の種類及び／又は成長相(growth phase)に依存し得る。それゆえ、レシピが、１種類以上の植物について、オプションとして時間に応じた、比率を定義してもよい。特に、用語「園芸光」は、ＰＡＲ領域（４００〜７００ｎｍによる光合成活性領域）を指してもよい。用語「園芸光」はまた、水耕栽培用途で植物に適用される光に使用されてもよい。当該技術分野で知られているように、ＰＡＲ領域（４００〜７００ｎｍによる光合成活性領域）では、葉の反射係数が非常に小さい（５〜１０％）。近赤外線に向かって７００ｎｍを超えると、反射係数が増加する。特定の実施形態では、園芸光はまた、ＰＡＲ光に加えて、わずかな（出力の＜２０％、特に出力の最大で約１０％）遠赤色、すなわち、７００〜８００ｎｍを含んでもよい。
【００２１】
上記は、（人工の）園芸光全般に適用される。本発明では、中でも、特定の園芸光レシピが提案される。
【００２２】
完全に閉鎖された環境でＬＥＤ光を使って植物を育てる場合、植物は、外界とは大きく異なって育つ可能性がある。温度及び湿度などのいくつかの側面が、通常の植物の生理的発達を妨げる可能性がある。しかしながら、それに加えて、光のスペクトルも、植物に形態学的及び生理学的な影響を与える可能性がある。
【００２３】
レタス等、ある植物は、垂直農場でもよく育つようである。また、ＵＶ光の存在、、光強度変化、及び急激な気候変化により誘発されるストレス要因が通常ないことが、急速な成長及びバイオマス生産に有利なようである。
【００２４】
カットリーフのセグメントカテゴリでは、ベビーリーフが、植物から数回カットされる。植物は、根と数センチの茎を残して栽培エリアに残され、通常はむしろ早く再成長する。初収穫と連続収穫の間に多くの種が進化していく。葉は、形、色及び味を変える可能性がある。ワイルドルッコラでは、葉はより強い味とより良い外観品質を持つため、一部のユーザは、とりわけ、カット５又はそれ以上に興味があるかもしれない。葉は、カットの回数が増えるにつれて(cut after cur)その組成物及び挙動(behavior)を変えることを示している。カット数の増加とともに現れる１つの側面は、ボルティング(bolting)である。残念ながら、花は、葉と一緒に製品として販売されず、選別して分離される必要がある。しかしながら、花は、食べることができ、むしろよい風味があるので、特定の健康上の利点を持っている可能性がある。
【００２５】
ボルティングは光の光周期(light photoperiod)に強く依存しているようである。１日の光時間(light hour)が長ければ長いほど、よりボルティングが生じる。調査されたたカットルッコラ及びホウレンソウの種では、種によっては、短い照明光周期(lighting photoperiod)（１２ｈ〜最大１５ｈ）でもボルティングが生じ、（だいたい）カット３から花が出現する(pop up)ようである。
【００２６】
したがって、本発明の一態様は、好ましくはさらに上述した不利な点のうちの１つ以上を少なくとも部分的に回避する、植物を育てる代替的なシステム、照明装置及び／又は方法を提供することである。本発明は、従来技術の不利な点の少なくとも１つを克服若しくは改善すること、又は有用な代替物を提供することを目的として有してもよい。本発明は、特許請求の範囲によって規定される。
【課題を解決するための手段】
【００２７】
一般的に、遠赤色光は、園芸におけるほとんどの作物の開花を誘導するように思われるが、本発明者らは驚くべきことに、（例えば、少なくとも約１０％等の）高線量(high dose)の遠赤色が、カットされるルッコラ上のボルティングを有意に減少させることを発見した。しかしながら、遠赤色の完全な不在及び／又は白色光の完全な不在（緑色の存在）は、ボルティングを誘発し、花の生産量を増加させるであろう。
【００２８】
さらに、高レベルの遠赤色は、生産の収量を増加させるようである。しかしながら、同時に、保存可能期間に（負の）影響を与える。したがって、特定の光レシピを有する解決策が、ボルティング発生を低く保ちながら、収穫直前の（ルッコラの）品質を修正するために使用され得る。本発明では、本発明者らは、特にベビーリーフ植物（容易にボルティングすることが知られている）の葉の品質、生産量、及びボルティングの低減を最大化するためにいくつかの照明レシピ戦略を練った。
【００２９】
それゆえ、第１の態様では、（園芸構成内の）植物に園芸光を提供する方法であって、当該方法は、制御モード中に、第１の園芸光を植物に提供することを含み、第１の園芸光の光子の特に少なくとも５％、さらに特に少なくとも１０％、さらに一層特に少なくとも１５％は、７００〜８００ｎｍの範囲から選択される波長を有し、第１の園芸光の光子の特に少なくとも２０％、さらに特に少なくとも４０％、さらに一層特に少なくとも４５％は、６４０〜７００ｎｍの範囲から選択される波長を有し、第１の園芸光の光子の最大１０％は、４００〜５００ｎｍの範囲から選択される波長を有する、方法が述べられる。特に、植物は、園芸構成内で作られる。
【００３０】
斯かる方法を用いて、ボルティングを低減させることができる、及び／又は、ボルティングの伸長(extent)が後のカットにシフトするという意味でボルティングを遅らせることができるようである。したがって、当該方法を用いて、植物は、大幅に低いボルティングを有し、これは、消費のためのバイオマスを作成する際の仕切り(partioning)を増加させる。ボルティングを低減させる斯かる光レシピを使用することは（また）、ボルティングを増加させることなく生産量を増加させるための解決策となり得る。特に、遠赤色光の適用は、ボルティングの低減に有益な効果があるようである。本発明の方法を用いて、ランプの投資コスト及び／又はエネルギ使用量も削減され得る。本発明において、成長光は、実質的な遠赤色成分を備えている。
【００３１】
上述のように、本発明は、植物に園芸光を提供する方法を提供する。植物は、本質的に、上記で定義された任意の植物であり得る。しかしながら、特に、植物は、緑色野菜(green vegetable)の群から選択される。さらに、特に、植物は、葉の収穫後に新しい葉を生成するタイプのものである。さらに、特に、植物は、ボルト(bolt)、又は複数のボルト、及びその後に花、又は複数の花をそれぞれ生成することができるタイプのものである。用語「ボルティング(bolting)」及び同様の用語は、特に、作物が少なくとも部分的に収穫される前の園芸作物上の開花茎(flowering stem)（又は複数の茎）の早期生産(premature production)を指す。斯くして、用語「ボルト(bolt)」は、花又は開花茎の初期段階を指してもよい。
【００３２】
さらに特に、植物は、ケール(kale)、ほうれん草(spinach)、スイスチャード(Swiss chard)、コラードグリーン(collard green)、スベリヒユ(purslane)、マスタードグリーン(mustard green)、クレソン(watercress)、ルッコラ(rucola)、レタス(lettuce)、タンポポグリーン(dandelion green)、キャベツ(cabbage)、キバナスズシロ(arugula)、及びビートグリーン(beet greens)の群から選択される。本発明では、レタス科の１種以上又はアブラナ科の１種以上が使用されてもよい。また、本発明は、葉の意図的な実質的な収穫が行われない、ボルティングする他の種類の植物に適用されてもよい。
【００３３】
用語「植物」はまた、種子(seed)、又は苗(seedling)を指してもよい。斯くして、用語「植物」は、一般に、種子から（成熟した）植物までの段階のいずれかを指してもよい。用語「植物」はまた、複数の（異なる）植物を指してもよい。
【００３４】
植物は、特に、園芸構成内で作られる。特に、「園芸構成」という用語は、植物が制御された条件下で育てられ、植物が実質的に昼光を受けない植物工場又は気候セル(climate cell)を指す。さらに、そのような植物工場は、気候セルの場合のように、気候化されてもよい。したがって、実施形態では、園芸構成は、そのような植物工場又は気候セルを含む。本明細書では、植物工場という用語は、気候セルの実施形態を包含すると見なされる。
【００３５】
他の実施形態では、植物工場又は気候セルは、園芸構成の少なくとも一部を含む。例えば、気候セルは、植物支持体と照明システムとを含み、制御システムは、気候セルの内部又は外部に構成されてもよい。（植物工場、垂直農場又は都市農場としても知られる）植物農場では、食料は複数の層で育てられてもよく、これは、屋外での成長又は温室での成長と比較して、利用可能な空間をはるかに良好に使用する。これは、昼光が全ての植物には到達できず、ほとんど全ての光が人工照明によりもたらされなければならないことを意味する。したがって、本発明は、特に、植物が本質的に人工光のみを受ける園芸構成に関する。
【００３６】
したがって、本発明は、植物が本質的に人工光のみを受ける園芸構成に限定されない。したがって、本発明はまた、さらなる態様では、（補助）園芸光が植物に提供される方法であって、７００〜８００ｎｍの遠赤色範囲及び６４０〜７００ｎｍの深赤色範囲について本明細書で定義される最小レベル（及び最大レベル）が植物によって（本明細書で示される時間期間の間に）得られるように園芸光が提供される、方法を提供する。これはまた、本明細書では、「補助制御モード(supplemental controlling mode)」として示される場合がある。
【００３７】
方法は、制御モード中に、第１の園芸光を植物に提供することを含む。「モード」という用語はまた、「制御モード」として示されてもよい。システム、装置、又はデバイス（以下もさらに参照）は、「モード」、「動作モード(operation mode)」又は「動作のモード(mode of operation)」においてアクションを実行してもよい。同様に、方法において、アクション、段階、又はステップは、「モード」、「動作モード」又は「動作のモード」において実行されてもよい。これは、システム、装置、又はデバイスが、別の制御モード、又は複数の他の制御モードを提供するように適合されていてもよいことを排除するものではない。同様に、これは、モードを実行する前に、及び／又はモードを実行した後に、１つ以上の他のモードが実行されてもよいことを排除しない。しかしながら、実施形態では、少なくとも制御モードを提供するように適合される制御システム（以下もさらに参照）が利用可能であってもよい。他のモードが利用可能であれば、そのようなモードの選択は、センサ信号又は（時間）スキームに依存してモードを実行する等他のオプションも可能であるが、特にユーザインターフェースを介して実行されてもよい。動作モードは、実施形態では、単一の動作モード（すなわち、「オン」であり、さらなる調整可能性なし）においてのみ動作することができるシステム、装置、又はデバイスを指してもよい。
【００３８】
園芸光という用語もまた、（概して）上述されている。本方法のために、制御モード中の園芸光は、特定の組成を有する。
【００３９】
特定の実施形態では、第１の園芸光の光子の特に少なくとも５％、例えば少なくとも１５％等、少なくとも１０％、さらに特に少なくとも２０％は、７００〜８００ｎｍの範囲から選択される波長を有する。特定の実施形態では、遠赤色光の寄与は、８０％より大きくない、例えば３５％より大きくない等、５５％より大きくない、例えば、３０％より大きくない。
【００４０】
さらに、第１の園芸光の光子の特に少なくとも２０％、例えば少なくとも４０％等、特に少なくとも３０％、さらに特に少なくとも４５％は、６４０〜７００ｎｍの範囲から選択される波長を有する。特定の実施形態では、深赤色光の寄与は、９５％より大きくない、例えば８５％より大きくない等、９０％より大きくない、例えば、８０％より大きくない。
【００４１】
またさらに、第１の園芸光の光子の特に最大１０％、例えば最大５％は、４００〜５００ｎｍの範囲から選択される波長を有する。
【００４２】
それゆえ、特定の実施形態では、第１の園芸光の光子の特に少なくとも５％、例えば少なくとも１０％、さらに特に少なくとも１５％は、７００〜８００ｎｍの範囲から選択される波長を有し、第１の園芸光の光子の少なくとも４０％、例えば少なくとも４５％は、６４０〜７００ｎｍの範囲から選択される波長を有し、第１の園芸光の光子の最大１０％は、４００〜５００ｎｍの範囲から選択される波長を有する。このような光を用いて、ボルティングは、本明細書で述べられるように制御されることができる。
【００４３】
特定の実施形態では、（ｉ）第１の園芸光の光子の最大５％は、４００〜５００ｎｍの範囲から選択される波長を有し、（ｉｉ）第１の園芸光の光子の最大４５％は、５００〜６４０ｎｍの範囲から選択される波長を有し、（ｉｉｉ）第１の園芸光の光子の少なくとも３０％、例えば少なくとも４０％、さらに特に少なくとも４５％は、６４０〜７００ｎｍの範囲から選択される波長を有し、（ｉｖ）第１の園芸光の光子の少なくとも１０％、特に少なくとも１５％、例えば少なくとも２０％は、７００〜８００ｎｍの範囲から選択される波長を有する。この場合、ボルティングは、少なくとも第１回目のカット時に(during at least a number of the first cuts)、よりよく制御される（すなわち、低減される）ことができる。したがって、実施形態では、第１の園芸光の光子の少なくとも１０％、例えば少なくとも１５％、さらには少なくとも２０％は、７００〜８００ｎｍの範囲から選択される波長を有する。
【００４４】
光子のパーセンテージは、４００〜８００ｎｍのスペクトル範囲の光子の総数に関連する。したがって、例えば、「第１の園芸光の光子のｎ％」というフレーズ及び同様のフレーズは、（特に園芸照明システムによって提供される、園芸光において利用可能である）４００〜８００ｎｍの範囲から選択される波長を有するすべての光子のうち、ｎ／１００が、具体的に示されたサブ範囲にあることを示す。これは、本明細書で述べられる照明装置によって提供され得る園芸光等、園芸光が、ＵＶ放射等、他の放射も提供することを排除するものではない。しかしながら、ここで述べられる本発明について、光子の数は、４００〜８００ｎｍの範囲の光子の総数に関連する。さらに、植物に提供される人工光は、本質的に、本明細書で述べられる第１の園芸光から成ってもよく、第２の園芸光の実施形態等、別段示されない限り、本質的に、他のタイプの放射線を含まなくてもよい。そのような（後者の）実施形態では、植物に提供される人工光は、本質的に、本明細書で述べられる第２の園芸光から成ってもよく、（別段示されない限り、）本質的に、他のタイプの放射線を含まなくてもよい。他でも示されるように、「本質的に(essentially)」は、とりわけ、少なくとも９０％、例えば少なくとも９５％を指してもよい。
【００４５】
特定の実施形態では、（４００〜８００ｎｍの波長範囲の）第１の園芸光の光子の少なくとも８０％、例えば少なくとも９０％、さらには特に少なくとも９５％は、６４０〜８００ｎｍの範囲から選択される波長を有する。
【００４６】
さらに、特に、植物が受ける光の強度は、範囲内で制御される。特定の実施形態では、方法は、制御モード中に、少なくとも５０μｍｏｌ／ｍ２／ｓ、例えば特に少なくとも１００μｍｏｌ／ｍ２／ｓ、例えばさらに特に少なくとも１５０μｍｏｌ／ｍ２／ｓの範囲から選択される、例えば特に５０〜１０００μｍｏｌ／ｍ２／ｓから選択される、さらに特に１５０〜１０００μｍｏｌ／ｍ２／ｓの範囲から選択される（植物上での）平均強度を有する第１の園芸光を提供することを含む。実施形態では、方法は、制御モード中に、２００〜１０００μｍｏｌ／ｍ２／ｓの範囲から選択される（植物上での）平均強度を有する第１の園芸光を提供することを含む。実施形態では、強度は、８００μｍｏｌ／ｍ２／ｓより高くない、例えば６００μｍｏｌ／ｍ２／ｓより高くない、例えば２００〜６００μｍｏｌ／ｍ２／ｓ、例えば特に２００〜５２５μｍｏｌ／ｍ２／ｓの範囲から選択される。
【００４７】
特に、示された光強度は、１日あたり４〜１４時間の暗期間を伴い、１日あたり１０〜２０時間の時間期間にわたって提供される。
【００４８】
したがって、特定の実施形態では、方法は、１日あたり４〜１４時間の暗期間を伴い、１日あたり１０〜２０時間の時間期間にわたって、少なくとも１５０μｍｏｌ／ｍ２／ｓの範囲から選択される、例えば２００〜５２５μｍｏｌ／ｍ２／ｓ、特に２００〜１００μｍｏｌ／ｍ２／ｓの範囲から選択される平均強度を有する第１の園芸光を制御モード中に提供することを含む。
【００４９】
このモードにおいて園芸光が提供される日中の期間、及び暗期間、並びに、制御モード中に園芸光が提供される日数は、植物（種類）ごとに異なってもよい。さらに、条件は、生育を早める、生育を遅らせる、葉の味や色に影響を与える等のために選択されることができる。
【００５０】
（遠）赤色及び深赤色の実質的な部分を含む（本明細書で示されるパーセンテージを参照）、少なくとも５０μｍｏｌ／ｍ２／ｓ、特に少なくとも約１００μｍｏｌ／ｍ２／ｓ、さらに特に少なくとも約１５０μｍｏｌ／ｍ２／ｓ、例えば少なくとも約２００μｍｏｌ／ｍ２／ｓの値は、植物の補償点を優に上回っている（すなわち、光合成プロセスが呼吸プロセスよりも支配的である）。
【００５１】
上述したように、本明細書ではＰＰＦＤとして示される、強度は、フォトダイオードから決定され得る、又は光電子増倍管で直接測定され得る。ＰＰＦＤ内の領域は、特に、光源が配置されている空間の局所受光（植物）領域を指す。多層システムの場合、これは多層構成に含まれる関連層の領域であり、したがって、ＰＰＦＤは、各層に対して個々に推定されてもよい（さらに以下も参照）。当該領域は、一実施形態では、制御ユニットに手動で供給される値であってもよく、又は一実施形態では、制御ユニットによって（例えばセンサを用いて）評価されてもよい。「少なくとも１５０μｍｏｌ／ｍ２／ｓ」のようなフレーズ及び同様のフレーズにおける面積（ｍ２）は、特に、根育成培地面(root growth medium face)を指してもよい。用語「根育成培地面」は、水耕栽培用途における液面を指してもよく、土壌等の基材(substrate)の最上層を指してもよい。例えば、用語「根育成培地面」は、「テーブルレベル」、すなわち、植物が作られるレベルを指してもよい。特に、「少なくとも１５０μｍｏｌ／ｍ２／ｓ」というフレーズ及び同様のフレーズは、植物が受ける強度を指す。したがって、（園芸システム内で）光を受けることができる植物の任意の部分（すなわち、特に、少なくとも基材の上にある部分）は、そのような線量(dose)を受ける。例えば、植物の上側の部分及び植物の（それでも光によってアクセス可能な）下側の部分で１平方メートル当たりに受けられる毎秒の光子の数が測定されてもよい。こうして、線量が計算されることができる。例えば、葉の影の影響を避けるために、根育成培地面が使用されてもよい。示された強度が、根育成培地面又はテーブルレベル（植物がない場合）で受けられる場合、植物もまた、少なくともそのような強度を受けるであろう。
【００５２】
（成長中の）植物が受ける条件は、一般的に、レシピで定義される。したがって、制御システムは、レシピに従って植物を成長させてもよい。そのようなレシピは、所定の（第２の）園芸光強度を定義する、光レシピを含んでもよい。これは、レシピが、経時的な所定の（第２の）園芸光強度を定義することを意味してもよい。代替的又は追加的に、レシピは、栄養素の摂取量、葉の大きさ、植物の温度、葉の温度、根の温度、茎の長さ、果実の大きさ等のように、感知されるパラメータの関数として所定の（第２の）園芸光強度を定義してもよい。温度（温室、農場、気候セル、トンネル内等）、湿度、ガス組成のうちの１つ以上等、他のパラメータもまた、感知されてもよい。また、デイライト強度（太陽光も当てはまるであろう）が、感知されるべきパラメータであってもよい。照明パラメータに関するレシピは、「光レシピ」として示されてもよい。光レシピは、葉の温度、根の温度、周囲温度のうちの１つ以上等、他のパラメータも含むレシピに含まれてもよい。
【００５３】
カット数が多くなるとボルティングが問題になるようである。カット数が多ければ多いほど、ボルティングは問題となり得る。少なくともいくつかの植物については、いくつかのカットの後にのみ、ボルティングが問題となり得るようである。それゆえ、第１の園芸光の本明細書で定義される組成を適用することは、例えば、植物が成長したある時間の後、若しくはいくつかのカットの後にのみ必要であってもよく、又は、例えば、ボルトの数若しくはボルトの大きさがそれぞれの所定の最小レベルを超えた場合にのみ実行されてもよい。したがって、（植物が葉の収穫後に新しい葉を生成するタイプのものである）実施形態では、制御モードは、（ａ）植物のライフタイム内の時点、（ｂ）収穫の数(number of harvests)、（ｃ）ボルトの数及び／又は外観、並びに、（ｄ）花の数及び／又は外観のうちの１つ以上の関数として第１の園芸光のスペクトル組成を制御することを含む。「外観」という用語は、特に、大きさ及び色のうちの１つ以上、特に少なくとも大きさを指す。上述したように、ボルティングは、花につながり得る。
【００５４】
代替的又は追加的に、制御モードは、（ｉ）１つ以上の植物の葉の数及び／又は外観及び／又は色、（ｉｉ）１つ以上の植物のキャノピ(canopy)の面積及び／又は色、（ｉｉｉ）１つ以上の植物の葉の第１世代(first generation)後の実行された収穫の数、（ｉｖ）１つ以上の植物のボルトの数及び／又は外観、並びに、（ｖ）１つ以上の植物の花の数及び／又は外観のうちの１つ以上の関数として第１の園芸光のスペクトル組成を制御することを含む。
【００５５】
この目的のために、実施形態では、センサが適用されてもよい。例えば、実施形態では、センサは、（ｉ）１つ以上の植物の葉の数及び／又は外観及び／又は色、（ｉｉ）１つ以上の植物のキャノピの面積及び／又は色、（ｉｉｉ）１つ以上の植物の葉の第１世代後の実行された収穫の数、（ｉｖ）１つ以上の植物のボルトの数及び／又は外観、並びに、（ｖ）１つ以上の植物の花の数及び／又は外観のうちの１つ以上を感知するために適用されてもよい。センサは、ＣＣＤカメラ等、カメラを含んでもよい。用語「センサ」は、複数のセンサを指してもよい。
【００５６】
ボルティングは、カットの数に伴って増加し得るので、園芸光を常に適用するのではなく、例えば、あるカットの数の後に適用するというオプションだけでなく、代替的又は追加的に、（ボルティング挙動の減少を課すようである）本質的に遠赤色の光の相対的に低いレベルを有して開始されてもよく、相対的に低いレベルを有して開始され、例えば、各カットの後にこのレベルを増加させてもよい。したがって、実施形態では、制御モードは、（ａ）時間、（ｂ）収穫の数、並びに（ｃ）ボルトの数及び／又は外観のうちの１つ以上に伴い、７００〜８００ｎｍの範囲から選択される波長を有する光子の第１の園芸光への寄与を増加させることを含む。したがって、特定の実施形態では、制御モードは、ｎ回目の収穫後にのみ第１の園芸光を提供することを含み、ｎは、少なくとも２、例えば少なくとも３である。２つのカットの間には、一般的に、少なくとも１週間、例えば少なくとも２週間の期間があるが、一般的には数ヶ月より短い期間があるであろう。
【００５７】
さらに、驚くべきことに、特にカットの比較的直前に、本質的に青色の光を有するパルスは、（作物の）収量の増加及び／又は（カットされた葉の）保存可能期間の増加に有益な効果を有し得るようである。したがって、実施形態では、収穫に先立って、第１の園芸光を提供すること（段階）は終了し、青色が比較的（より）豊富な園芸光が提供される。光レシピの一部として第２の園芸光を用いると、保存可能期間が増加し、植物、特に葉の視覚的品質が向上するようである。
【００５８】
したがって、特定の実施形態では、制御モードは、収穫に先立つ１つ以上の第１の時間期間中に植物に第１の園芸光を提供することと、収穫に先立つ１つ以上の第２の時間期間中に植物に第２の園芸光を提供することとを含み、特に、第１の時間期間と第２の時間期間とは（時間的に）重ならず、特に、１つ以上の第２の時間期間は、収穫に先立つ最大３日の期間内である。特定の実施形態では、第２の園芸光の光子の少なくとも２０％、例えば少なくとも２５％、例えば少なくとも３０％、さらに特に少なくとも３５％は、４００〜５００ｎｍの範囲から選択される波長を有し、第２の園芸光の光子の最大１０％は、７００〜８００ｎｍの範囲から選択される波長を有する。特に、第２の園芸光は、第１の園芸光よりも４００〜５００ｎｍの範囲において高い（相対）強度を有し、７００〜８００ｎｍの範囲において低い(相対）強度を有する。さらに特に、少なくとも４００〜５００ｎｍの範囲における（第２の園芸光の）絶対強度は、第１の園芸光よりも大きく、また、７００〜８００ｎｍの範囲における（第２の園芸光の）絶対強度は、第１の園芸光よりも低い。
【００５９】
第２の園芸光の強度は、上述したように同様の範囲であってもよい。
【００６０】
特に、第２の園芸光もまた、１日あたり４〜１４時間の暗期間を伴い、１日あたり１０〜２０時間の時間期間にわたって提供される。
【００６１】
方法は、特に、本明細書で述べられる照明装置及び／又は本明細書で述べられる照明システム（そのような照明装置を含んでもよい）を用いて実行されてもよい。方法は、園芸照明システム又は園芸構成に機能的に結合される又はそれに含まれるコンピュータ上で実行されてもよい。
【００６２】
それゆえ、さらに他の態様では、特定の実施形態においては、第１の園芸光の光子の少なくとも５％、例えば少なくとも１０％、例えば特に少なくとも１５％は、７００〜８００ｎｍの範囲から選択される波長を有し、第１の園芸光の光子の少なくとも２０％、例えば少なくとも４０％、例えば特に少なくとも４５％は、６４０〜７００ｎｍの範囲から選択される波長を有し、第１の園芸光の光子の最大１０％は、４００〜５００ｎｍの範囲から選択される波長を有する、第１の園芸光を制御モードにおいて生成するように構成される園芸照明装置に機能的に結合されるか又はそれに含まれるコンピュータ上で実行されると、特に、本明細書で述べられる方法を引き起こすことができる、コンピュータプログラムプロダクトが述べられる。園芸照明装置は、特に、本明細書でさらに定義される園芸照明システムである。
【００６３】
したがって、本発明はさらに、例えば（園芸照明システム又は園芸照明装置に機能的に結合される）コンピュータにロードされると、本明細書に記載される方法を実行することが可能なコンピュータプログラムプロダクトを提供する。またさらなる態様では、本発明は、請求項に記載されるコンピュータプログラムを記憶している記録担体（又はＵＳＢスティック、ＣＤ、ＤＶＤ等のデータ担体）を提供する。それゆえ、当該コンピュータプログラムプロダクトは、コンピュータ上で実行されるか、又はコンピュータ内にロードされると、本明細書で述べられる方法を実現するか、又は実現することが可能となる。それゆえ、さらなる態様では、本発明は、特に本明細書で定義される、園芸照明システム、又は特に本明細書で定義される、（斯くして）斯かる園芸照明システムを含む園芸構成に機能的に結合されるか又はそれに含まれるコンピュータ上で実行されると、本明細書で述べられる方法を引き起こすことができるコンピュータプログラムプロダクトを提供する。
【００６４】
記録担体又はコンピュータ可読媒体及び／又はメモリは、任意の記録可能媒体（例えば、ＲＡＭ、ＲＯＭ、着脱式メモリ、ＣＤ−ＲＯＭ、ハードドライブ、ＤＶＤ、フロッピーディスク、又はメモリカード）であってもよく、又は、伝送媒体（例えば、光ファイバ、ワールドワイドウェブ、ケーブルを含む、ネットワーク、及び／又は、例えば、時分割多元接続、符号分割多元接続、若しくは他の無線通信システムを使用する、無線チャネル）であってもよい。コンピュータシステムで使用するために好適な情報を記憶することが可能な、既知の又は開発される任意の媒体が、コンピュータ可読媒体及び／又はメモリとして使用されてもよい。追加的メモリもまた、使用されてもよい。メモリは、長期メモリ、短期メモリ、又は長期メモリと短期メモリとの組み合わせであってもよい。メモリという用語はまた、複数のメモリを指す場合もある。メモリは、本明細書で開示される方法、操作行為、及び機能を実施するように、プロセッサ／コントローラをコンフィギュレーションしてもよい。メモリは、分散されるか、又はローカルのものであってもよく、プロセッサは、追加的プロセッサが設けられてもよい場合、分散されるか、又は単一の形であってもよい。メモリは、電気、磁気、又は光メモリ、あるいは、これらのタイプ又は他のタイプの記憶デバイスの任意の組み合わせとして、実装されてもよい。さらには、用語「メモリ」は、プロセッサによってアクセスされるアドレス可能空間内のアドレスに対して読み出し又は書き込みが可能な、あらゆる情報を包含するように、十分に広範に解釈されるべきである。この定義により、インターネット等のネットワーク上の情報も、例えば、プロセッサが、当該ネットワークから当該情報を取得してもよいため、やはりメモリの範囲内である。
【００６５】
コントローラ／プロセッサ及びメモリは、任意のタイプであってもよい。プロセッサは、述べられる様々な動作を実行し、メモリ内に記憶されている命令を実行することが可能であってもよい。プロセッサは、特定用途向け集積回路、又は汎用集積回路であってもよい。さらには、プロセッサは、本システムに従って実行するための専用プロセッサであってもよく、又は、本システムに従って実行するために、多くの機能のうちの１つのみが動作する、汎用プロセッサであってもよい。プロセッサは、プログラム部分、複数のプログラムセグメントを利用して動作してもよく、又は、専用集積回路若しくは多目的集積回路を利用する、ハードウェアデバイスであってもよい。
【００６６】
本発明はまた、園芸照明システム（又は園芸照明装置）に機能的に結合されるか又はそれに含まれるコンピュータ上で実行されると、制御モードにおいて補助園芸光（すなわち、補助制御モード）を生成するように構成されるコンピュータプログラムプロダクトであって、７００〜８００ｎｍの遠赤色範囲及び６４０〜７００ｎｍの深赤色範囲について本明細書で定義される最小レベル（及び最大レベル）が植物によって（本明細書で示される時間期間の間に）得られるように園芸光が提供される、コンピュータプログラムプロダクトを提供する。
【００６７】
またさらなる態様では、（単独で）第１の園芸光を生成するように構成されてもよい又はそれを生成することができてもよい園芸照明装置（「照明装置」又は「装置」）が述べられる。それゆえ、一態様では、本発明は、制御モード中に、第１の園芸光を提供するように構成される照明装置であって、第１の園芸光の光子の少なくとも５％、さらに特に少なくとも１０％、さらに一層特に少なくとも１５％、例えば少なくとも２０％は、７００〜８００ｎｍの範囲から選択される波長を有し、第１の園芸光の光子の少なくとも２０％、例えば少なくとも４０％、特に少なくとも４５％は、６４０〜７００ｎｍの範囲から選択される波長を有し、第１の園芸光の光子の最大１０％は、４００〜５００ｎｍの範囲から選択される波長を有する、照明装置を提供する。上述のように、「制御モード」又は「動作モード」という用語又は同様の用語は、実施形態では、単一の動作モード（すなわち、「オン」であり、さらなる調整可能性なし）においてのみ動作することができる装置を指してもよい。しかしながら、「制御モード」又は「動作モード」という用語又は同様の用語はまた、別の制御モード、又は複数の他の制御モードを提供するためにも適合されてもよい装置を指してもよい。
【００６８】
したがって、照明装置は、特定の実施形態では制御可能なスペクトルパワー分布を有する、園芸光等の、照明装置光を提供するように構成されてもよく、（装置の）制御モードにおいて、第１の園芸光が提供されるが、特定の実施形態では、照明装置はまた、第１の園芸光とは異なるスペクトルパワー分布を有する園芸光を提供することができてもよい。代替的な実施形態では、照明装置は、特に、第１の園芸光を提供するように構成され、基本的に、単一の制御モード、すなわち、任意選択的には制御可能な強度であるが、本質的にすべての強度で同じスペクトル分布を有する、オンモードの間の第１の園芸光の生成、又はオフモードの間の第１の園芸光の非生成を含むように構成される。用語「園芸光」は、一般的な園芸光を指し（上記も参照）、「第１の園芸光」又は「第２の園芸光」という用語は、特に、本明細書で示される特定のスペクトル組成を有する光を指す。
【００６９】
したがって、実施形態では、照明装置は、照明制御システムを含む、又は照明装置のスペクトル特性を制御するように構成される照明制御システムに機能的に結合されてもよい。実施形態では、これは、園芸照明システムに関連してさらに定義される制御システムであってもよい。
【００７０】
さらに他の実施形態では、照明装置は、本質的に単一のスペクトル分布、すなわち、第１の園芸光のスペクトル分布を提供するように構成される。
【００７１】
照明装置は、少なくとも園芸光等、園芸光を提供するための光源を含む。照明装置は、デバイスハウジングを有する、デバイスを含んでもよく、デバイスハウジングが、光源を含んでもよい。
【００７２】
用語「光源」は、発光ダイオード（ＬＥＤ）、共振空洞発光ダイオード（ＲＣＬＥＤ：resonant cavity light emitting diode）、垂直共振器型レーザダイオード（ＶＣＳＥＬ：vertical cavity laser diode）、エッジ放射レーザ(edge emitting laser)等の半導体発光デバイスを指してもよい。用語「光源」はまた、パッシブマトリクス（ＰＭＯＬＥＤ）又はアクティブマトリクス（ＡＭＯＬＥＤ）等の有機発光ダイオードを指してもよい。特定の実施形態では、光源は、（ＬＥＤ又はレーザダイオード等の）固体光源を含む。一実施形態では、光源は、ＬＥＤ（発光ダイオード）を含む。用語「ＬＥＤ」はまた、複数のＬＥＤを指してもよい。さらに、用語「光源」はまた、実施形態では、いわゆるチップオンボード（ＣＯＢ：chips-on-board）光源を指してもよい。用語「ＣＯＢ」は、特に、封入されても接続されてもいないが、ＰＣＢ等、基板上に直接載置された半導体チップの形態のＬＥＤチップを指す。したがって、複数の半導体光源が、同じ基板上に構成されてもよい。実施形態では、ＣＯＢは、単一の照明モジュールとして一緒に構成されるマルチＬＥＤチップである。用語「光源」はまた、２〜２０００個の固体光源等、複数の光源に関連してもよい。
【００７３】
青色光は、特に、特に青色ＬＥＤ等、青色光源を用いて提供されてもよいが、任意選択的に、青色発光材料を用いる、特にＵＶＬＥＤ等、ＵＶ光源が選択されてもよい。
【００７４】
緑色光は、特に、緑色光源、特に緑色ＬＥＤを用いて提供されてもよいが、任意選択的に、緑色発光材料を用いる、青色光源、特に青色ＬＥＤ、又はＵＶ光源、特にＵＶ ＬＥＤが選択されてもよい。
【００７５】
赤色光は、特に、赤色光源、特に赤色ＬＥＤを用いて提供されてもよいが、任意選択的に、赤色発光材料を用いる、ＵＶ光源、特にＵＶ ＬＥＤ、又は青色光源、特に青色ＬＥＤが選択されてもよい。同様に、これは、遠赤色及び深赤色に適用されてもよい。
【００７６】
特に、照明装置は、少なくとも第１の園芸光等、園芸光を提供するための複数の光源を含む。２つ以上の光源、又はすべての光源は一緒に、制御モードにおいて、第１の園芸光を提供するように構成されてもよい。したがって、特に、照明装置は、少なくとも第１の園芸光及び任意選択的に第２の園芸光等、園芸光を提供するための複数の異なる光源を含む。
【００７７】
実施形態では、照明装置は、複数の光源、特に固体光源を含んでもよい。さらなる実施形態では、これらの光源の２つ以上のサブセットは、独立して制御可能であってもよい。またさらに、（そのような）サブセットのうちの２つ以上のサブセットは、異なるスペクトル分布を有する光を提供してもよい。そのような実施形態では、第１の園芸光及び／又は第２の園芸光等、園芸光の強度及びスペクトル分布は、制御可能であってもよい。それゆえ、２つ以上のサブセットは、実施形態では、異なるスペクトル分布を有する光を提供するように構成されてもよい。
【００７８】
したがって、実施形態では、園芸照明装置は、（ｉ）７００〜８００ｎｍの範囲から選択される波長を有する光を提供するように構成される１つ以上の光源、特に固体光源の第１のセットと、（ｉｉ）６４０〜７００ｎｍの範囲から選択される波長を有する光を提供するように構成される１つ以上の光源、特に固体光源の第２のセットとを含んでもよく、任意選択的に、（ｉｉｉ）４００〜５００ｎｍの範囲から選択されるピーク波長を有する光を提供するように構成される光源、特に１つ以上の固体光源の第３のセットを含んでもよい。より多くのタイプの光源も利用可能であり得る。
【００７９】
特に、本明細書で提供される異なるタイプの光は、（異なるタイプの光に属する）本明細書で示される波長範囲内にピーク波長を有する光源を用いて提供される。したがって、特定の実施形態では、園芸照明装置は、（ｉ）７００〜８００ｎｍの範囲から選択されるピーク波長を有する光を提供するように構成される１つ以上の（固体）光源の第１のセットと、（ｉｉ）６４０〜７００ｎｍの範囲から選択されるピーク波長を有する光を提供するように構成される１つ以上の（固体）光源の第２のセットと、任意選択的に、（ｉｉｉ）４００〜５００ｎｍの範囲から選択されるピーク波長を有する光を提供するように構成される１つ以上の（固体）光源の第３のセットとを含む。より多くのタイプの光源も利用可能であり得る。
【００８０】
さらに、特定の実施形態では、園芸照明装置は、（制御モード中に）照明装置から特に少なくとも１００ｃｍ等、少なくとも３０ｃｍの距離において特に少なくとも１００μｍｏｌ／ｍ２／ｓ等、少なくとも５０μｍｏｌ／ｍ２／ｓの範囲から選択される平均強度を有する第１の園芸光を提供するように構成される。装置は、空間的に異なる位置において（第１の）園芸光を提供する複数の光源を含んでもよいので、照明装置から３０ｃｍの距離と１００ｃｍの距離との間では、光の強度はそれほど違わなくてもよい。
【００８１】
特に、装置は、（方法に関連して）上記で定義された強度を有する（第１の）園芸照明を、特に、園芸照明装置から少なくとも３０ｃｍの位置で提供するように構成される。さらに、園芸照明装置は、（方法に関連して）上記で定義された時間期間（すなわち、１日あたりの時間）の間に（方法に関連して）上記で定義された強度を有する（第１の）園芸光を提供するように構成されてもよい。
【００８２】
本発明はまた、７００〜８００ｎｍの遠赤色範囲及び６４０〜７００ｎｍの深赤色範囲について本明細書で定義される最小レベル（及び最大レベル）が植物によって（本明細書で示される時間期間の間に）得られるように園芸光が提供される、制御モードにおいて補助園芸光（すなわち、補助制御モード）を生成するように構成される(園芸）照明装置を提供する。
【００８３】
用語「照明装置」はまた、複数の（異なる）照明装置を指してもよい。これらのうちの２つ以上が一緒に、第１の園芸光及び／又は任意選択的に第２の園芸光等、園芸光を提供してもよい。
【００８４】
基本的に、方法に関連して述べられたものと同じ実施形態は、（園芸）照明装置にも適用され得る。
【００８５】
照明装置は、特に、本明細書で述べられる方法及び／又は本明細書で述べられる園芸照明システムにおいて使用されてもよい。
【００８６】
またさらなる態様では、
−  園芸光を提供するように構成される、特に、制御可能なスペクトルパワー分布を有する園芸光を提供するように構成される照明装置と、
−  制御モード中に、第１の園芸光を提供するように照明装置を制御するよう構成される制御システムであって、特定の実施形態では、第１の園芸光の光子の少なくとも５％、例えば特に少なくとも１０％、さらに特に少なくとも１５％は、７００〜８００ｎｍの範囲から選択される波長を有し、第１の園芸光の光子の少なくとも２０％、例えば特に少なくとも４０％、さらに特に少なくとも４５％は、６４０〜７００ｎｍの範囲から選択される波長を有し、第１の園芸光の光子の最大１０％は、４００〜５００ｎｍの範囲から選択される波長を有する、制御システムと、
を含む、園芸照明システムが述べられる。
【００８７】
このようなシステムを用いて、植物に提供される園芸照明が制御されることができる。このようにして、ボルティングは減少されることができ、収量及び／又は保存可能期間が増加されてもよい。
【００８８】
「制御する」という用語及び同様の用語は特に、要素（ここでは、園芸システム又はその１つ以上の要素）の挙動を決定する、又は要素の作動を監督することを少なくとも指す。したがって、本明細書では、「制御する」及び同様の用語は、例えば、測定、表示、作動、開放、シフト、温度変更等のような、挙動を要素に課すこと（要素の挙動を決定する、又は要素の作動を監督すること）などを指す場合がある。そのほか、「制御する」という用語及び同様の用語は加えて、モニタリングを含んでもよい。したがって、「制御する」という用語及び同様の用語は、要素に挙動を課すこと、及び要素に挙動を課し、要素をモニタリングすることを含んでもよい。
【００８９】
要素の制御は、「コントローラ」としても示され得る、制御システムを用いて行われることができる。斯くして、制御システム及び要素は、少なくとも一時的に、又は恒久的に、機能的に結合されてもよい。要素は、制御システムを含んでもよい、実施形態では、制御システム及び要素は物理的に結合されなくてもよい。制御は、有線及び／又は無線制御を介して行われることができる。「制御システム」という用語はまた、特に機能的に結合され、それらのうちの例えば１つの制御システムが、マスタ制御システムであってもよく、１つ以上の他の制御システムが、スレーブ制御システムであってもよい、複数の異なる制御システムを指してもよい。制御システムは、ユーザインターフェースを含んでもよく、又はユーザインターフェースに機能的に結合されてもよい。
【００９０】
ユーザインターフェースデバイスの例としては、とりわけ、手動作動ボタン、ディスプレイ、タッチスクリーン、キーパッド、音声起動入力デバイス、オーディオ出力、インジケータ（例えば、ライト）、スイッチ、ノブ、モデム、及びネットワーキングカードが挙げられる。特に、ユーザインターフェースデバイスは、ユーザインターフェースが機能的に結合される、又はユーザインターフェースが機能的に含まれているデバイス、装置又はシステムにユーザが指示することを可能にするように構成されてもよい。ユーザインターフェースは特に、手動作動ボタン、タッチスクリーン、キーパッド、音声起動入力デバイス、スイッチ、ノブ等、並びに／又はオプションとしてモデム、及びネットワーキングカード等を含んでもよい。ユーザインタフェースは、グラフィカルユーザインタフェースを備えてもよい。「ユーザインターフェース」という用語はまた、遠隔制御等のリモートユーザインタフェースを指してもよい。遠隔制御は、別個の専用デバイスであってもよい。しかしながら、遠隔制御はまた、システム、デバイス又は装置を（少なくとも）制御するように構成されたアプリを有するデバイスであってもよい。ユーザインターフェースは特に、制御システムに機能的に結合されるか、又は制御システムに含まれてもよい。
【００９１】
基本的に、方法に関連して述べられたものと同じ実施形態は、園芸照明システムにも適用され得る。いくつかの実施形態が、以下でより詳細に論じられる。
【００９２】
特定の実施形態では、制御システムは、制御モード中に、１日あたり１０〜２０時間の時間期間にわたって第１の園芸光を提供する、及び、１日あたり４〜１４時間の暗期間を提供するように照明装置を制御するよう構成されてもよい。特に、第１の園芸光において、第１の園芸光の光子の最大５％は、４００〜５００ｎｍの範囲から選択される波長を有し、第１の園芸光の光子の最大４５％は、５００〜６４０ｎｍの範囲から選択される波長を有し、第１の園芸光の光子の少なくとも２０％、例えば特に少なくとも４０％、さらに特に少なくとも４５％は、６４０〜７００ｎｍの範囲から選択される波長を有し、第１の園芸光の光子の少なくとも５％、例えば特に少なくとも１０％、さらに特に少なくとも１５％、例えば少なくとも２０％は、７００〜８００ｎｍの範囲から選択される波長を有する。（上記でも示される）さらに他の特定の実施形態では、制御モードは、（ａ）植物のライフタイム内の時点、（ｂ）収穫の数、（ｃ）ボルトの数及び／又は外観、並びに、（ｄ）花の数及び／又は外観のうちの１つ以上の関数として第１の園芸光のスペクトル組成を制御することを含む。
【００９３】
（上記でも示される）さらに他の特定の実施形態では、園芸照明システムはさらに、センサを含んでもよく、制御システムは、センサを介して、（ａ）１つ以上の植物の葉の数及び／又は外観及び／又は色、（ｂ）１つ以上の植物のキャノピの面積及び／又は色、（ｃ）１つ以上の植物の葉の第１世代後の実行された収穫の数、（ｄ）１つ以上の植物のボルトの数及び／又は外観、並びに、（ｅ）花の数及び／又は外観のうちの１つ以上を感知するように構成されてもよい。
【００９４】
「葉の第１世代後の実行された収穫の数(number of executed harvests after a first generation of leaves)」というフレーズは、特に、収穫の数自体を指す。上述したように、実施形態では、制御モードは、ｎ回目の収穫後にのみ第１の園芸光を提供することを含み、ｎは、少なくとも２である。
【００９５】
実施形態では、制御モードは、（ａ）時間、（ｂ）収穫の数、（ｃ）ボルトの数及び／又は外観、並びに、（ｄ）花の数及び／又は外観のうちの１つ以上に伴い、７００〜８００ｎｍの範囲から選択される波長を有する光子の第１の園芸光への寄与を増加させることを含む。さらに、実施形態では、制御モードは、収穫に先立つ１つ以上の第１の時間期間中に植物に第１の園芸光を提供することと、収穫に先立つ１つ以上の第２の時間期間中に植物に第２の園芸光を提供することとを含み、第１の時間期間と第２の時間期間とは重ならず、１つ以上の第２の時間期間は、収穫に先立つ最大３日の期間内であり、第２の園芸光の光子の少なくとも２０％は、４００〜５００ｎｍの範囲から選択される波長を有し、第２の園芸光の光子の最大１０％は、７００〜８００ｎｍの範囲から選択される波長を有する。
【００９６】
上述したように、特に、園芸照明システムは、（特に本明細書で定義されるような）照明装置を含んでもよい。またさらに、園芸照明システムは、（特に本明細書で定義されるような）複数の（異なる）照明装置を含んでもよい。複数の異なる装置は一緒に、（第１及び／又は第２の）園芸光を提供してもよい。
【００９７】
特に、園芸照明システムは、少なくとも園芸光等、園芸光を提供するための複数の光源を含む。２つ以上の光源、又はすべての光源は一緒に、制御モードにおいて、第１の園芸光を提供するように構成されてもよい。
【００９８】
実施形態では、園芸照明システムは、特に固体光源等、複数の光源を含んでもよい。さらなる実施形態では、これらの光源の２つ以上のサブセットは、独立して制御可能であってもよい。またさらに、（そのような）サブセットのうちの２つ以上のサブセットは、異なるスペクトル分布を有する光を提供してもよい。そのような実施形態では、第１の園芸光及び／又は第２の園芸光等、園芸光の強度及びスペクトル分布は、制御可能であってもよい。
【００９９】
したがって、実施形態では、園芸照明システムは、（ｉ）７００〜８００ｎｍの範囲から選択される波長を有する光を提供するように構成される、固体光源等、１つ以上の光源の第１のセットと、（ｉｉ）６４０〜７００ｎｍの範囲から選択される波長を有する光を提供するように構成される、固体光源等、１つ以上の光源の第２のセットと、任意選択的に、（ｉｉｉ）４００〜５００ｎｍの範囲から選択されるピーク波長を有する光を提供するように構成される、固体光源等、１つ以上の光源の第３のセットとを含む。より多くのタイプの光源も利用可能であり得る。
【０１００】
特に、本明細書で提供される異なるタイプの光は、（異なるタイプの光に属する）本明細書で示される波長範囲内にピーク波長を有する光源を用いて提供される。したがって、特定の実施形態では、園芸照明システムは、（ｉ）７００〜８００ｎｍの範囲から選択されるピーク波長を有する光を提供するように構成される１つ以上の（固体）光源の第１のセットと、（ｉｉ）６４０〜７００ｎｍの範囲から選択されるピーク波長を有する光を提供するように構成される１つ以上の（固体）光源の第２のセットと、任意選択的に、（ｉｉｉ）４００〜５００ｎｍの範囲から選択されるピーク波長を有する光を提供するように構成される１つ以上の（固体）光源の第３のセットとを含む。より多くのタイプの光源も利用可能であり得る。
【０１０１】
実施形態では、７００〜８００ｎｍの範囲から選択される波長を有する光を提供するように構成される光源は、特に、４００〜８００ｎｍのスペクトル範囲内のパワーの少なくとも５０％、例えば特に少なくとも７０％、例えば少なくとも８０％、ましては例えば少なくとも９０％が、７００〜８００ｎｍの範囲内にある光源である。実施形態では、光源は、示された波長範囲内にピーク波長を有する、すなわち、４００〜８００ｎｍの範囲内のピーク最大値が７００〜８００ｎｍの範囲内にある光源光を生成するように構成される光源である。
【０１０２】
さらに、実施形態では、６４０〜７００ｎｍの範囲から選択される波長を有する光を提供するように構成される光源は、特に、４００〜８００ｎｍのスペクトル範囲内のパワーの少なくとも５０％、例えば特に少なくとも７０％、例えば少なくとも８０％、ましては例えば少なくとも９０％が、６４０〜７００ｎｍの範囲内にある光源である。実施形態では、光源は、示された波長範囲内にピーク波長を有する、すなわち、４００〜８００ｎｍの範囲内のピーク最大値が６４０〜７００ｎｍの範囲内にある光源光を生成するように構成される光源である。
【０１０３】
さらに、実施形態では、４００〜５００ｎｍの範囲から選択される波長を有する光を提供するように構成される光源は、特に、４００〜８００ｎｍのスペクトル範囲内のパワーの少なくとも５０％、例えば特に少なくとも７０％、例えば少なくとも８０％、ましては例えば少なくとも９０％が、４００〜５００ｎｍの範囲内にある光源である。実施形態では、光源は、示された波長範囲内にピーク波長を有する、すなわち、４００〜８００ｎｍの範囲内のピーク最大値が４００〜５００ｎｍの範囲内にある光源光を生成するように構成される光源である。
【０１０４】
また、実施形態では、５００〜６４０ｎｍの範囲から選択される波長を有する光を提供するように構成される光源は、特に、４００〜８００ｎｍのスペクトル範囲内のパワーの少なくとも５０％、例えば特に少なくとも７０％、例えば少なくとも８０％、ましては例えば少なくとも９０％が、５００〜６４０ｎｍの範囲内にある光源である。実施形態では、光源は、示された波長範囲内にピーク波長を有する、すなわち、４００〜８００ｎｍの範囲内のピーク最大値が５００〜６４０ｎｍの範囲内にある光源光を生成するように構成される光源である。
【０１０５】
白色光を生成するように構成される光源は、特に、当業者に知られているように、放出される光が白色光である光源である。これは、特に、約２０００〜２００００Ｋ、特に２７００〜２００００Ｋの間の相関色温度（ＣＣＴ：correlated color temperature）を有し、特にＢＢＬ（黒体軌跡(black body locus)）から約１５ＳＤＣＭ（等色標準偏差(standard deviation of color matching)）以内、特にＢＢＬから約１０ＳＤＣＭ以内、さらに特にＢＢＬから約５ＳＤＣＭ以内の光に関する。
【０１０６】
さらに、特定の実施形態では、園芸照明システムは、（制御モード中に）園芸照明システムから少なくとも１００ｃｍ等、少なくとも３０ｃｍの距離において特に少なくとも１００μｍｏｌ／ｍ２／ｓ等、少なくとも５０μｍｏｌ／ｍ２／ｓの範囲から選択される平均強度を有する第１の園芸光を提供するように構成される。システムは、数メートル、又は数十メートルに及んでもよい、空間的に異なる位置において（第１の）園芸光を提供する複数の光源を含んでもよいので、園芸照明システムから３０ｃｍの距離と１００ｃｍの距離との間では、光の強度はそれほど違わなくてもよい。
【０１０７】
特に、装置は、（方法に関連して）上記で定義された強度を有する（第１の）園芸照明を、特に、園芸照明装置から少なくとも３０ｃｍの位置で提供するように構成される。さらに、園芸照明装置は、（方法に関連して）上記で定義された時間期間（すなわち、１日あたりの時間）の間に（方法に関連して）上記で定義された強度を有する（第１の）園芸光を提供するように構成されてもよい。
【０１０８】
本発明はまた、７００〜８００ｎｍの遠赤色範囲及び６４０〜７００ｎｍの深赤色範囲について本明細書で定義される最小レベル（及び最大レベル）が植物によって（本明細書で示される時間期間の間に）得られるように園芸光が提供される、制御モードにおいて補助園芸光（すなわち、補助制御モード）を生成するように構成される園芸照明システムを提供する。
【０１０９】
さらに他の態様では、本発明はまた、植物のための園芸構成であって、本明細書で定義される園芸照明システムと、植物を支持するための支持体とを含む、園芸構成を提供する。
【０１１０】
使用時に、構成(arrangement)は、植物を有する植物支持体(plant support)、又は種子を有する植物支持体、又は苗を有する植物支持体等を含んでもよい。したがって、使用時に、（構成を含む）システムは、植物を有する植物支持体、又は種子を有する植物支持体、又は苗を有する植物支持体等を含んでもよい。「支持体」又は「植物支持体」という用語は、植物をその中で、その上で、又はそれに沿って成長させるために使用されることができる、（粒状）基材((particulate) substrate)、（水耕栽培における）水性基材(aqueous substrate)、土壌、（ワイヤ作物(wire crop)のための）ワイヤ等のうちの１つ以上を指してもよい。
【０１１１】
そのような園芸構成の制御システムは、温度、湿度、灌漑、栄養供給、園芸光の光強度、空気温度、空気組成、空気流量等のうちの１つ以上を含む空気条件のうちの１つ以上を制御してもよい。そのような園芸システムは、構成内の異なる位置においてこれらの条件のうちの１つ以上を制御するように構成されてもよい。
【０１１２】
上記からも導き出され得るように、特定の実施形態では、園芸照明システム及び／又は園芸構成はさらに、センサを含んでもよく、センサは、植物のパラメータ及び／又は他のパラメータを監視する、及び、対応するセンサ信号を提供するように構成されてもよく、制御システムは、そのようなセンサ信号に依存して園芸照明システム及び／又は園芸構成を制御するように構成されてもよい。
【０１１３】
例えば、補助制御モードのために、光センサが適用されてもよく、制御システムは、光センサのセンサ信号に依存して、７００〜８００ｎｍの遠赤色範囲及び６４０〜７００ｎｍの深赤色範囲について本明細書で定義される最小レベル（及び最大レベル）が植物によって（本明細書で示される時間期間の間に）得られるように補助園芸光を制御してもよい。
【０１１４】
それゆえ、園芸照明装置又は園芸照明システムはさらに、周囲光を感知するように構成される光センサを含んでもよい。光センサ信号に基づいて、補助光が提供されてもよい。
【０１１５】
一般に、第１の園芸光は、光センサに依存して提供されてもよい。センサのフィードバック信号に基づいて、（所定の）スペクトル分布及び／又はスペクトルパワーが提供されてもよい。本明細書で示されるように、用語「センサ」及び同様の用語（「光センサ」等）はまた、複数の（異なる）センサ（光センサ等）を指してもよい。特に、園芸光システム又は園芸構成は、複数の（空間的に離間した）光センサ（及び／又は他のセンサ）を含んでもよい。
【０１１６】
「最小レベル（及び最大レベル）」というフレーズ及び同様のフレーズは、特に、光のそれぞれの光のタイプ（青色、深赤色、遠赤色等）及び／又は強度（すなわち、特に光合成光子束密度（ＰＰＦＤ））のパーセンテージを指す。
【図面の簡単な説明】
【０１１７】
ここで、実施形態が、対応する参照符号が対応する部分を示す添付の概略図を参照して、単なる例として述べられる。
【図１】図１は、園芸構成、園芸システム、及び照明装置の一実施形態及びヴァリアントを概略的に示す。
【図２】図２は、光レシピの実施形態を概略的に示す。
【図３】図３ａ〜３ｃは、いくつかの実験結果を示す。
【発明を実施するための形態】
【０１１８】
概略図は必ずしも縮尺どおりではない。
【０１１９】
植物農場（図１参照）では、単位面積当たり生産量が、露地での生産量よりもはるかに高い。水の使用は最小限に抑えられる。植物の病害及び害虫は、より容易に予防されることができる。典型的には、植物農場では、植物は、気候セル内で育成される。各セルは、１つ以上のラックを備えている。各ラックは、植物を成長させるための複数の層を有する。植物（バジル等のハーブ又はレタス等の葉物野菜）は、水耕栽培（植物が、土を使用せずに、水に溶けたミネラル又は有機栄養素を使用して育成される）で育成されることもできる。代替的に、図示されているように、植物は、土や粒状材料(particulate material)等の基材において育成されてもよい。
【０１２０】
とりわけ、図１は、制御モード中に、第１の園芸光１１１１を提供するように構成される照明装置１１０を概略的に示す。上述したように、第１の園芸光１１１１の光子の少なくとも５％は、７００〜８００ｎｍの範囲から選択される波長を有し、第１の園芸光１１１１の光子の少なくとも４５％は、６４０〜７００ｎｍの範囲から選択される波長を有し、第１の園芸光１１１１の光子の最大１０％は、４００〜５００ｎｍの範囲から選択される波長を有する。
【０１２１】
照明装置１１０はまた、実施形態では、他のタイプの園芸光を提供するように構成されてもよい。したがって、照明装置１１０は、制御可能なスペクトル分布を有する園芸光を提供するように構成されてもよく、制御システムは、制御モードにおいて第１の園芸光が生成されるように、このスペクトル分布を制御することができてもよい。代替的に、照明装置は、第１の園芸光を提供するようにのみ構成されてもよい。
【０１２２】
照明装置は、複数の光源を含んでもよい。
【０１２３】
図１はまた、実施形態では制御可能なスペクトル光分布を有してもよいが、少なくとも第１の園芸光を提供するように構成される、園芸光を提供するように構成される照明装置１１０を含む、園芸照明システム１００を概略的に示す。園芸照明システム１００はまた、制御モード中に第１の園芸光１１１１を提供するように照明装置１１０を制御するよう構成される制御システム２００を含む。
【０１２４】
上述したように、制御モードは、（ａ）植物１のライフタイム内の時点、（ｂ）収穫の数、並びに、（ｃ）ボルトの数及び／又は外観のうちの１つ以上の関数として第１の園芸光１１１１のスペクトル組成を制御することを含む。したがって、実施形態では、園芸照明システム１００はさらに、センサ２１０を含んでもよい。ここでは、例として、２つのセンサ２１０が示され、これらのセンサ２１０は、異なる機能を有してもよい。例えば、一方は、温度、湿度等のうちの１つ以上を感知するように構成されてもよい。しかしながら、少なくとも１つのセンサ２１０は、ＣＣＤカメラ等、植物を感知する(sense)ように構成されてもよい。したがって、制御システム２００は、特に、センサ２１０を介して、（ａ）１つ以上の植物の葉の数及び／又は外観及び／又は色、（ｂ）１つ以上の植物のキャノピの面積及び／又は色、（ｃ）１つ以上の植物の葉の第１世代後の実行された収穫の数、（ｄ）１つ以上の植物のボルトの数及び／又は外観、並びに、（ｅ）１つ以上の植物の花の数及び／又は外観のうちの１つ以上を感知するように構成されてもよい。
【０１２５】
図１はまた、植物１のための園芸構成１０００であって、本明細書及び特許請求の範囲で述べられる園芸照明システム１００と、植物１を支持するための支持体４００とを含む、園芸構成１０００を概略的に示す。
【０１２６】
図２は、使用されてもよい３つの光レシピを概略的に示す。示されるものよりも多くのレシピが使用されることができる。ｘ軸には、時間が示されている。Ｈで示される棒(bar)は、収穫時期(harvest moment)又は収穫期間(harvest period)である。ｙ軸には、強度が示されているが、これは指標(indicated)でしかない。３つの光レシピ間の相対強度は意味を持たない。
【０１２７】
第１のレシピＲ１は、第１の園芸光１１１１が、２回目の収穫後にのみ提供されることを示している。これは、３回目の収穫であってもよく、又は任意選択的には、４回目の収穫であってもよい。例として、その後は、第１の園芸光１１１１は単一の強度である。しかしながら、この強度は、レシピＲ２及び／又はレシピＲ３に従って等、変化してもよい。
【０１２８】
レシピＲ２は、経時的な第１の園芸光１１１１の連続的な増加を示している。この強度は、苗が利用可能になった時点で開始されてもよい。しかしながら、第１の園芸光のこの強度は、レシピＲ１の場合と同様に、ｎ回目の収穫後にのみ開始されてもよい。
【０１２９】
レシピＲ３は、第２の園芸光１１１２のパルスが、収穫の直前に、例えば、収穫前の数日中に（１日あたり２４時間よりも短くてもよい、照明時間中に）提供されるが、第１の園芸光１１１１の強度は、基本的にゼロであり、少なくとも第２の園芸光１１１２の強度よりもはるかに小さいことを示している。
【０１３０】
上述したように、上記のレシピのうちの２つ以上の組み合わせ等、より多くのレシピが可能である。
【０１３１】
斯くして、ボルティングを大幅に減らすことができる光レシピが提案されている。しかしながら、完全にボルティングをなくすことは不可能かもしれない。しかしながら、収穫時のボルティングの出現(incidence)は、より後の段階（より後のカット）で発生するため、より多くの収穫が可能となる。
【０１３２】
様々な照明レシピを用いたいくつかの実験がなされ、ボルティング及び収量が測定された。ボルティング及びボルティングの減少が、いくつかのワイルドルッコラの種類(Diplotaxi Tenuifolia)で観察された。
【０１３３】
植物密度は、１ｍ２あたり１２５０株であった。光処理は、５％の遠赤色を含む、２４７μｍｏｌ／ｍ２／ｓのＰＡＲを用いた標準的な深赤色／青色レシピ（ＤＲＢ）、さらに低（５％、ＤＲＷ）又は高（２５％、ＨＦＲ）遠赤色光を含む、３４７μｍｏｌ／ｍ２／ｓのＰＡＲにおける標準的なＰｈｉｌｉｐｓの深赤色／白色レシピ、及び、さらに２５％の遠赤色を含む、２６０μｍｏｌ／ｍ２／ｓを用いた深赤色／白色レシピ（ＤＲＩ）から成った。６つのトレイが光処理ごとに利用可能で、そのうちの半分が、３つのトレイを制御処理(control treatment)及び３つのトレイを収穫前処理(pre-harvest treatment)（動的光処理(dynamic light treatment)）のために残して、様々な連続的な収穫前光処理の実験に使用され得た。
【０１３４】
以下の表は、使用された異なる光組成(light composition)に関するいくつかの情報を与える。
2021521832.tif 000003
（１：白色部分(part)のうち青色部分は別欄になっている）
【０１３５】
カット１では、５つのトレイが、制御処理に用いられ、１つのトレイのみが、収穫前処理のために用いられた。カット２からカット７では、３つのトレイが、制御処理に用いられ、３つのトレイが、収穫前処理のために用いられた。カット８では、３つのトレイが、制御処理に用いられ、収穫前処理は、適用されなかった。
【０１３６】
この収穫において新たに測定したのは、ボルティング及び全体的な視覚的品質（ＯＶＱ：overall visual quality）の評価である。ボルティングは、花茎(flower-stem)を数え、葉とは別にそれらの重さを量って測定された。ＯＶＱは、４℃及び１０℃において５０ｇを３つの箱に保管して評価された。植物材料(plant material)は、１を最低、１０を最高の採り得るスコアとして、１〜１０の範囲で採点され、６を販売可能な製品の最低値とした。
【０１３７】
図中の結果は、数（播種後日数）の関数として表されている。したがって、ｘ軸は、播種後の日数の時間を示す。
【０１３８】
全体的に、青色光、低遠赤色、高ＰＡＲが、ボルティングを誘発するようである（Ｐ＜０．０５、図３ａ）。最も低いＰＡＲ光レベルを用いた処理が、最も低いボルティングを示した。図は、４つの異なる静的照明レシピの下で育成されたワイルドルッコラのカットの数及びＤＡＳの関数としてのボルティングの進化(bolting evolution)を示している。低いボルティングが、低い光レベル及び高い遠赤色レベル（又はＰＡＲと比較して高い遠赤色の割合）について達成された。
【０１３９】
ＤＲＷ及びＤＲＢはともに、相対的に低い遠赤色量を有し、相対的に高いボルティングを与えるが、遠赤量が５％より少なく、青色量が多いＤＲＢが、明らかに最も悪い。白色が減らされ、青色が低く保たれ、遠赤色含有量が増やされる場合、ＤＲＩ及びＨＦＲの場合のように、ボルティングは、明らかに低減される。ＨＦＲのレシピに対して、青色含有量が低く、深赤色含有量が高く、白色含有量が低く、遠赤色含有量がわずかに高い、ＤＲＩのレシピが最も良い。青色光が多くなるほど、ボルティングは多くなる（ＤＲＢは、３５％の青色を含む）。
【０１４０】
収量は、５％の遠赤色と比較して２５％の遠赤色の方が系統的に高いようである。カットの終盤に向けて、差はより大きくなる。これは、遠赤色でもってボルティングが少ないこと及びより多くのバイオマスを生成することの両方に起因する。高レベルの青色光は収量を低下させる。
【０１４１】
高い追加的な遠赤色は最低の効率を持つことが観察された。これは、当該光レシピにおいて、より多くの光子が用いられるからである（可視＋遠赤色の光の総和(total light sum)）。
【０１４２】
図３ａは、ｙ軸に、１平方メートル当たりの花茎の数として定義されるボルティングの数ｎを示している。図３ｂは、収量又は累積収量をｇ／ｍ２で示している。累積収量(cumulative yield)は、１平方メートル当たりの重さとして定義される。図３ｃは、ｙ軸に、放射利用効率(radiation use efficiency)をｇ／ｍｏｌで、すなわち、園芸光の１ｍｏｌの光子当たりの収量の質量を示す。
【０１４３】
また、代替的な光レシピがテストされた。
【０１４４】
第１のシンプルな光レシピとして、高レベルの遠赤色（２５％）は、ボルティングに関する強い低減を表すことが示された。これは、深赤白色光(deep red white light)と最良に組み合わせられ得るが、深赤青色(deep red blue)とも用いられることができ、しかしながら、緑色化合物を含む白色も、ボルティングに関して同様の（しかしながらそれほど強くはない）効果を有するようである。
【０１４５】
第２の例では、ボルティングを減らすために動的光レシピが適用される。ボルティングは、カット３でのみ現れ、実際にはカット５以降で問題となっている。それゆえ、カットの数の関数として遠赤色光のパーセンテージを徐々に増加させる動的光レシピが提案される。例えば、この光レシピは、ワイルドルッコラによく合うであろう。ここで、例えば、カット１〜２のために５％の遠赤色光、カット３のために１０％の遠赤色光、カット４のために１５％の遠赤色光等々である。例えば、図２の例Ｒ１を参照されたい。
【０１４６】
第３の例では、ボルティングを減らす及び保存可能期間を増やすために動的光レシピが適用される。高い遠赤色は、低品質のルッコラを生産しているので、先の照明レシピは、葉の緑色素沈着(green pigmentation)の外観及び保存可能期間を改善するために遠赤色のない収穫前の連続光（１日又は２日）と組み合わせて使用されることができる。連続光は、収穫前の効果を早めるために着色レシピ(coloration recipe)と同様の高い青色含有量（例えば、５０％の青色及び５０％の赤色）で１日つき調整されてもよい。短い収穫前の光は、適用される時間が植物が反応して花を発生させるには短すぎるため、ボルティングに関する出現(incidence)を示さなかった。例えば、図２の例Ｒ３を参照されたい。
【０１４７】
用語「複数」は、２つ以上を指す。
【０１４８】
本明細書の「実質的に（substantially）」又は「本質的に(essentially)」という用語は、当業者には理解されるであろう。用語「実質的に」又は「本質的に」はまた、「全体的に（entirely）」、「完全に（completely）」、「全て（all）」などを伴う実施形態も含み得る。それゆえ、実施形態では、この形容詞「実質的に」又は「本質的に」は、削除される場合もある。適用可能な場合、用語「実質的に」又は用語「本質的に」はまた、９５％以上、特に９９％以上、さらに特に９９．５％以上等の、１００％を含めた９０％以上にも関連し得る。
【０１４９】
用語「含む（comprise）」は、用語「含む（comprise）」が「から成る（consists of）」を意味する実施形態もまた含む。
【０１５０】
用語「及び／又は」は、特に、「及び／又は」の前後で言及された項目のうちの１つ以上に関連する。例えば、語句「項目１及び／又は項目２」、及び同様の語句は、項目１及び項目２のうちの１つ以上に関連し得る。用語「含む（comprising）」は、一実施形態では、「から成る（consisting of）」を指す場合もあるが、別の実施形態ではまた、「少なくとも定義されている種、及びオプションとして１つ以上の他の種を包含する」も指す場合がある。
【０１５１】
さらには、明細書本文及び請求項での、第１、第２、第３などの用語は、類似の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【０１５２】
デバイス、装置、又はシステムは、本明細書では、とりわけ、動作中について述べられている。当業者には明らかとなるように、本発明は、動作の方法又は動作時のデバイス、装置、又はシステムに限定されるものではない。
【０１５３】
上述した実施形態は本発明を限定するものではなく、例示するものであり、当業者は添付の特許請求の範囲から逸脱することなく多くの代替的な実施形態を設計できることに留意されたい。
【０１５４】
請求項では、括弧内のいかなる参照符号も、その請求項を限定するものとして解釈されるべきではない。
【０１５５】
動詞「含む（to comprise）」及び活用形の使用は、請求項に記述されたもの以外の要素又はステップが存在することを排除するものではない。文脈上別段の意味を有することが明らかな場合を除き、明細書及び特許請求の範囲を通じて、「含む(comprise)」、「含んでいる(comprising)」等の用語は、排他的(exclusive)又は網羅的な(exhausitive)意味ではなく、包含的な(inclusive)意味、すなわち、「含むがそれに限定されない(including, but not limited to)」という意味で解釈されるべきである。
【０１５６】
要素に先行する冠詞「１つの（ａ）」又は「１つの（ａｎ）」は、複数のそのような要素が存在することを排除するものではない。
【０１５７】
本発明は、いくつかの個別要素を含むハードウェアによって、及び、好適にプログラムされたコンピュータによって実装されてもよい。いくつかの手段を列挙するデバイスの請求項、装置の請求項、又はシステムの請求項では、これらの手段のうちのいくつかは、同一のハードウェアのアイテムによって具現化されてもよい。特定の手段が、互いに異なる従属請求項内に列挙されているという単なる事実は、これらの手段の組み合わせが、有利に使用され得ないことを示すものではない。
【０１５８】
本発明はまた、デバイス、装置、若しくはシステムを制御し得る、又は本明細書で述べられる方法若しくはプロセスを実行し得る、制御システムを提供する。またさらには、本発明はまた、デバイス、装置、又はシステムに機能的に結合されるか又はそれに含まれるコンピュータ上で実行されると、斯かるデバイス、装置、又はシステムの１つ以上の制御可能要素を制御するコンピュータプログラムプロダクトを提供する。
【０１５９】
本発明はさらに、明細書本文で述べられる特徴及び／又は添付図面に示される特徴のうちの１つ以上を含む、デバイス、装置、又はシステムに適用される。本発明はさらに、明細書本文で説明される特徴及び／又は添付図面に示される特徴のうちの１つ以上を含む、方法又はプロセスに関する。
【０１６０】
本特許で論じられている様々な態様は、さらなる利点をもたらすために組み合わされることも可能である。さらには、当業者は、実施形態が組み合わされることが可能であり、また、３つ以上の実施形態が組み合わされることも可能である点を理解するであろう。さらには、特徴のうちのいくつかは、１つ以上の分割出願のための基礎を形成し得るものである。
【図１】
2021521832.tif 000004
【図２】
2021521832.tif 000005
【図３Ａ】
2021521832.tif 000006
【図３Ｂ】
2021521832.tif 000007
【図３Ｃ】
2021521832.tif 000008
【国際調査報告】
2021521832.tif 000009
2021521832.tif 000010
2021521832.tif 000011